(57)【特許請求の範囲】
【請求項１】
注射可能な液体をその供給源から受け入れる筒と、
前記筒の一端に設けられ、前記筒内まで延在する第１の端部と、液体を搬送するための中央の通路と、前記筒外に延在する第２の端部を有する第１の管状本体を備えたホルダと、
前記ホルダの前記第１の管状本体に取外し可能に取り付けられる使い捨てのプラスチック製のノズルであって、第２の管状本体を含み、前記第２の管状本体が先細状となった射出端部と、前記ホルダから受け入れた液体を放出するために前記第２の管状本体を通って延在する通路と、前記第２の管状本体の後端部に設けられて前記ホルダを受け入れるための環状の陥凹部と、前記環状の陥凹部の内壁から外向きに延在し前記ノズルが前記ホルダに取り付けられると前記ホルダの前記第１の管状本体の前端にある切欠き内に入る弾性移動止めと、を有するノズルと、
前記筒内で滑動可能なプランジャであって、前記ホルダと前記プランジャとの間で前記筒に液体が吸い込まれる後退位置と、前記ホルダおよび前記使い捨てノズルを通して液体が放出される伸長位置との間で前記筒内を移動するプランジャと、
前記プランジャとは別体であり、前記プランジャを伸長された液体放出位置へと移動させるため、液圧下で移動可能な前記筒内で滑動可能なピストンと、
前記筒内で前記ピストンに接続される、前記ピストンが後退されると前記プランジャを前記後退位置へと移動させるためのレトラクタと、
前記レトラクタを前記プランジャに接続して、前記ピストンが前記プランジャに接して前記筒内で滑動して前記プランジャを前記伸長位置へと移動させることを可能にするとともに、前記ピストンおよび前記レトラクタが前記ホルダおよび前記ノズルから離れる方向で前記後退位置へと移動すると、前記プランジャを前記後退位置へと引っ張るためのカプラーと、
前記ピストンの一方の側では、前記ピストンおよび前記プランジャを前記後退位置から前記伸長位置へと移動させて、前記ホルダおよび前記ノズルを通して液体を放出することと、前記ピストンの第２の側では、前記ピストンおよび前記プランジャを、注射可能な液体が前記ホルダと前記プランジャとの間で前記筒に吸い込まれる後退位置に戻すことを交互に行う、圧力下で流体を前記筒に導入するための第１の弁と、
前記第１の弁を作動させるためのトリガーであって、操作されるごとに、前記プランジャを前記後退位置から前記伸長位置へと移動させ、次いで前記後退位置に戻すトリガーと、
前記一端から離れた前記筒の第２の端部にある、前記プランジャおよび前記ピストンが前記後退位置へと移動するときの前記ピストンの移動を制限する停止具とを備える、無針注射器。
【請求項２】
前記トリガーが操作されるまで、前記ピストンおよび前記プランジャを前記後退位置で解放可能に保定する、前記ピストン内の磁石を含む、請求項１に記載の無針注射器。
【請求項３】
前記ピストンのストロークと、その結果として前記筒から放出される液体の投与量とを変更するストローク調整装置を含む、請求項１に記載の無針注射器。
【請求項４】
前記ストローク調整装置が、前記ピストンを係合するための、前記筒の前記第２の端部内のねじ付きプラグと、前記筒の前記第２の端部内の肩部と、前記プラグと前記肩部との間のスペーサリングであって、前記筒内での前記プラグの回転によって前記肩部と前記プラグとの間のギャップを変化させ、その結果として前記ピストンのストローク長さを変化させるスペーサリングとを含む、請求項３に記載の無針注射器。
【請求項５】
前記ストローク調整装置が、前記筒の前記第２の端部に回転可能に取り付けられ、前記プラグを回転させるために前記プラグに接続されたノブと、前記注射器の投与量設定を示す、前記ノブの移動によって露出する前記筒上の目盛りとを含む、請求項４に記載の無針注射器。
【請求項６】
前記ホルダを前記筒内で保定するための、前記筒の前記一端上の取外し可能なキャップを含む、請求項１に記載の無針注射器。
【請求項７】
注射可能な液体の供給部を保持するための前記筒上のシリンジと、前記注射器を使用して注射が行われるごとに注射された液体の投与量を示す、前記シリンジ上の目盛りとを含む、請求項１に記載の無針注射器。
【請求項８】
前記シリンジを前記筒に接続する、前記プランジャが後退されると注射可能な液体を前記筒に入れるようにするための一方向弁を含む、請求項７に記載の無針注射器。
【請求項９】
前記第２の管状本体が、前記ホルダ上の対応するねじ山を係合する雌ねじ山を含む、請求項１に記載の使い捨てノズル。
【請求項１０】
前記移動止めが、前記陥凹部の前記内壁から鋭角で外向きに延在し、それによって、前記ノズルが前記ホルダ上で取付け方向に回転されると、前記移動止めが屈曲して前記ホルダの切欠きに入り、かつそこから外れ、前記ノズルが前記ホルダに完全に取り付けられると、前記移動止めが前記切欠き内へと延在し、それによって、前記ノズルを逆方向に回転させることにより、前記移動止めが前記切欠きの一方の面を係合するとともに、前記ノズルの残りの部分から外れる、請求項９に記載の使い捨てノズル。
【請求項１１】
前記切欠きの前記一方の面が斜角を付けられて、前記移動止めを切断するナイフエッジを規定する、請求項１０に記載の使い捨てノズル。
【請求項１２】
前記陥凹部の内壁が溝を含んで、前記ノズルを前記ホルダ上に取り付ける間、前記移動止めが屈曲して前記溝に入ることができる、請求項１１に記載の使い捨てノズル。
【請求項１３】
前記移動止めが、前記移動止めの残りの部分よりも薄い内側端部を含んで、前記移動止めを前記第２の管状本体の残りの部分に接続して、前記内側端部で前記移動止めが壊れることを容易にする、請求項１２に記載の使い捨てノズル。
【発明の詳細な説明】
【技術分野】
【０００１】
本発明は、無針注射器に関する。
【背景技術】
【０００２】
特に、本発明は、２００８年４月１５日付で発行された本願発明者の米国特許第７，３５７，７８１号に記載されているタイプの無針注射器に関し、該特許を参照により本明細書に組み込む。本明細書に開示する発明の基本構造は、特許付与された注射器に多くの点で類似しているが、本明細書に記載する新たな注射器は、特許付与された注射器を越えるいくつかの重要な改善点を含む。
【０００３】
本明細書に記載するタイプの注射器は、一般に、多数のヒト、または豚および鶏などの動物に注射するのに使用される。注射される成分の性質および／または動物のサイズに応じて、複数の異なる注射器を有するのではなく、単一の注射器の投与量を容易に変更できることが有利である。さらに、多量注射中の相互汚染を回避するため、注射器のノズルは容易に交換可能であるべきであり、好ましくはこれまで使用されてこなかった何らかの形の注射器を含む。
【発明の概要】
【課題を解決するための手段】
【０００４】
したがって、本発明の１つの態様は、
注射可能な液体をその供給源から受け入れる筒と、
前記筒の一端に設けられ、前記筒内まで延在する第１の端部と、液体を搬送するための中央の通路と、前記筒外に延在する第２の端部を有する第１の管状本体を備えたホルダと、
前記ホルダの前記第１の管状本体に取外し可能に取り付けられる使い捨てのプラスチック製のノズルであって、第２の管状本体を含み、前記第２の管状本体が先細状となった射出端部と、前記ホルダから受け入れた液体を放出するために前記第２の管状本体を通って延在する通路と、前記第２の管状本体の後端部に設けられて前記ホルダを受け入れるための環状の陥凹部と、前記環状の陥凹部の内壁から外向きに延在し前記ノズルが前記ホルダに取り付けられると前記ホルダの前記第１の管状本体の前端にある切欠き内に入る弾性移動止めと、を有するノズルと、
前記筒内で滑動可能なプランジャであって、前記ホルダと前記プランジャとの間で前記筒に液体が吸い込まれる後退位置と、前記ホルダおよび前記使い捨てノズルを通して液体が放出される伸長位置との間で前記筒内を移動するプランジャと、
前記プランジャとは別体であり、前記プランジャを伸長された液体放出位置へと移動させるため、液圧下で移動可能な前記筒内で滑動可能なピストンと、
前記筒内で前記ピストンに接続される、前記ピストンが後退されると前記プランジャを前記後退位置へと移動させるためのレトラクタと、
前記レトラクタを前記プランジャに接続して、前記ピストンが前記プランジャに接して前記筒内で滑動して前記プランジャを前記伸長位置へと移動させることを可能にするとともに、前記ピストンおよび前記レトラクタが前記ホルダおよび前記ノズルから離れる方向で前記後退位置へと移動すると、前記プランジャを前記後退位置へと引っ張るためのカプラーと、
前記ピストンの一方の側では、前記ピストンおよび前記プランジャを前記後退位置から前記伸長位置へと移動させて、前記ホルダおよび前記ノズルを通して液体を放出することと、前記ピストンの第２の側では、前記ピストンおよび前記プランジャを、注射可能な液体が前記ホルダと前記プランジャとの間で前記筒に吸い込まれる後退位置に戻すことを交互に行う、圧力下で流体を前記筒に導入するための第１の弁と、
前記第１の弁を作動させるためのトリガーであって、操作されるごとに、前記プランジャを前記後退位置から前記伸長位置へと移動させ、次いで前記後退位置に戻すトリガーと、
前記一端から離れた前記筒の第２の端部にある、前記プランジャおよび前記ピストンが前記後退位置へと移動するときの前記ピストンの移動を制限する停止具とを備える、
無針注射器である。
【０００５】
第２の態様によれば、本発明は、上述の注射器において使用される、細長い第２の管状本体を備える使い捨てノズルであって、該第２の管状本体が、
先細状の射出端部と、
前記本体を通って延在する、前記ホルダから受け入れた液体を放出するための通路と、
前記本体の後端部にある、前記スリーブを受け入れるための環状の陥凹部と、
前記ノズルが前記ホルダに取り付けられると前記スリーブの前端にある切欠き内まで延在する、前記陥凹部の内壁から外向きに延在する弾性の移動止めとを有し、
それにより、前記ノズルを回転させて前記ホルダから取り外すと、前記移動止めが折れて、前記ノズルが使用されていることを示す、使い捨てノズルである。
【０００６】
本発明者の特許付与された注射器と同様に、本発明の注射器は比較的単純であり、複数の連続した注射を迅速に実施するのに使用することができる。さらに、容易に交換可能な筒状構造を組み込むことによって、本発明の注射器は、注射器の投与量を迅速かつ簡単に調節する機構を提供する。
【０００７】
本発明はまた、無針注射器の放出端部への取付けおよびそこからの取外しが簡単であるとともに、ノズルが既に使用されていることの指示を提供する、交換可能なノズルを提供する。
【０００８】
本発明の上述の特徴および他の新規な特徴を、添付図面を参照して以下により詳細に記載する。
【図面の簡単な説明】
【０００９】
【図１】本発明による無針注射器の側面図である。
【図２】一部を省略した図１の注射器の縦断面図である。
【図３】図１および２の注射器の分解組立等角図である。
【図４】図１〜３の注射器の主要要素の大部分の分解組立部分断面図である。
【図５】図１〜４の注射器に使用される弁の等角図である。
【図６】図５の弁の縦断面図である。
【図７】図５の弁の縦断面図である。
【図８】図１および２の注射器の放出端部の分解組立図である。
【図９】図１および２の注射器の放出端部の縦断面図である。
【図１０】図１および２の注射器に使用されるノズルホルダの等角図である。
【図１１】図１０のノズルホルダの使い捨てノズルの等角図である。
【図１２】図１１の使い捨てノズルおよびホルダの側面図である。
【図１３】図１１および１２のノズルの正面図である。
【図１４】図１０〜１３のノズルホルダおよび使い捨てノズルの部分断面等角図である。
【図１５】図１４のノズルホルダおよび使い捨てノズルの部分断面正面図である。
【発明を実施するための形態】
【００１０】
図１および２を参照すると、本発明の注射器はピストル形であり、全体が１で示されるプラスチック製本体と、そこから外向きに延在するハンドル２とを含む。本体は、注射器の残りの要素のほとんどをそれぞれ収容する上側シリンダ３および下側シリンダ４を含む。
【００１１】
真鍮製ピストン６は、上側シリンダ３内に滑動可能に取り付けられる。Ｏリング８は、ピストン６をシリンダ３内で封止する。ピストン６は全体的にカップ状であって、円筒状の永久磁石１０を収容する後側陥凹部９（図４）を含む。ピストン６および磁石１０は、休止位置または開始位置では、頭部１４が磁石１０に当接する鋼製ボルト１３を収容する、プラスチック製プラグ１１によってシリンダ３内で保定される。プラグ１１は、Ｏリング１５によってシリンダ３内で封止される（図２）。
【００１２】
プラグ１１のねじ付き後端部１６は、プラグ１１の後方移動を制限するとともに結果としてシリンダ３内でのピストン６の後方移動を制限する、シリンダ３内の肩部１９に当接するスペーサリング１８を保持する。プラグ１１を回転させることによって、スペーサリング１８と肩部１９との間のギャップが変化し、それによってピストン６のストロークが変化する。プラグ１１は、シリンダ３の後端部に回転可能に取り付けられた、全体的にカップ状のノブ２０を使用して回転される。ボルト２２はノブ２０をプラグ１１上に固定する。したがって、プラグ１１は、ピストン６の停止具として作用し、注射器のストローク調節機構の一部を形成する。
【００１３】
プラスチック製スリーブ２５の雄ねじ付き後端部２４は、シリンダ３の雌ねじ付き前端部と噛合する。スリーブ２５は、全体が２６で示されるトリガーアセンブリ（図１および２）を保持する。スリーブ２５のフランジ２７（図４）は、シリンダ３の前端部に対してトリガーアセンブリを保定する。トリガーアセンブリ２６は、スリーブ２５の周りのカラー２８と、カラー２８と一体であってカラー２８からハンドル２の前部にある陥凹部３０（図３）内まで下向きに延在する全体的にＣ字形の指ガード２９と、トリガー３１とによって規定される。スリーブ２５の前端部にある凹溝３２（図１および４）は、スリーブを把持してシリンダ３にねじ込むのを、またそれをシリンダから取り外すのを容易にする。
【００１４】
Ｏリング３４は、スリーブ２５をシリンダ３内で封止する。スリーブ２５の後端部は、筒３６のねじ付き後端部３５をスリーブに接続するため、雌ねじ山が切られている。筒３６は、筒の雄ねじ山３８（図４）にねじ留めされる雌ねじ付き環状カップ３７によって、スリーブ２５内で心出しされる。図示される構造によって、投与される投与量に応じて筒３６をより小さなまたはより大きな筒と容易に交換することができる。筒３６を本体１の上側シリンダ３の前端部から取り外すためには、単に筒を回転させて、ねじ付き後端部３５を雌ねじ付きスリーブ２５から係脱すればよい。その後、筒３６をスリーブ２５から引き抜くことができる。極低投与量用の筒３６は穴３９（図２）を含むが、その目的については後述する。レトラクタ４１（図４）の前端部にある頭部４０は、筒３６の後端部にあるカプラー４２の後端部にスナップ嵌めされる。レトラクタ４１の後端部４３は、ピストン６の直径が狭い前端部４４上に滑らせられる。レトラクタ４１の前端部は、直径を減少させた首部４７（図４）と、首部よりも直径が大きい頭部４０とを含む。頭部４０および首部４７は、レトラクタ４１の前端部を管状のカプラー４２内で固定する。
【００１５】
図４に最も良く示されるように、カプラー４２は、その後端部および前端部それぞれに、内向きに延在する環状フランジ５１および５２を含む。レトラクタ４１の前端部は、ピストン６およびレトラクタ４１の移動に対応してカプラー４２が移動するように、カプラー４２の後部フランジ５１によって保持される。組立て中、レトラクタ４１の頭部４０は、フランジ５１が頭部４０後方の首部４７の適所にスナップ嵌めされるまで、カプラー４２の可撓性後端部に押し込まれる。やはり組立て中、プランジャ５３の後端部は、プランジャの環状フランジ５４がカプラーに入るのに十分な距離、カプラー４２の前端部に挿入される。カプラー４２が後方に移動する間に、フランジ５２はプランジャ５３の後端部にあるフランジ５４を係合する。カプラー４２の前端部にある等距離の間隔を空けた３つの長手方向に延在するスロット５６により、前端部が可撓性になって、プランジャをカプラーに対して滑動させるとともに、カプラーを筒３６内で滑動させるのが容易になる。レトラクタ４１が前方に移動すると、カプラー４２を筒３６内で前方に押しやるので、レトラクタ４１の前端部がプランジャ５３の後端部を係合して、プランジャを前方に推進して注射が達成される。レトラクタ４１およびカプラー４２の前方移動は、筒３６を通る通路内の肩部６０によって制限される。レトラクタ４１が前方に移動すると、プランジャ５３のフランジ６１が肩部６０と接触するようになり、それによってプランジャ５３のストロークが制限される。ピストン６およびレトラクタ４１を後方に移動させると、レトラクタ４１がカプラー４２およびプランジャ５３を開始位置または休止位置へと後退させる。プランジャ５３の前端部付近のシール６３は、プランジャ５３の頭部６４を筒３６の直径がより狭い前端部内で封止する。
【００１６】
プランジャ５３の頭部６４は、筒３６の直径が減少した前端部のチャンバ６６（図２）に滑り込む。筒３６内でのプランジャ５３の後方移動によって、チャンバ６６内に部分真空が作られて、薬剤がシリンジ６７からチャンバに吸い込まれる。シリンジ６７の雌ねじ付き首部６８は、図１および２において全体が７１で示される一方向弁の本体７０の雄ねじ付き外側端部６９に接続される。シリンジ６７は、筒７２と、その一端では滑動可能であって、その他端にある直径の狭いノズル７３（図３）を通して液体を放出するためのプランジャ７４とを含む、従来のプラスチック製注射器である。シリンジ筒７２は、注射器が操作されるごとに注射される投与量を示す目盛り（図示なし）を含む。シリンジ６７は、薬剤瓶または薬剤バッグと交換できることが理解されるであろう。
【００１７】
シリンジノズル７３を通して放出された液体は一方向弁７１を通過する。図５〜７に最も良く示されるように、弁７１は、管状本体７０と、本体内で滑動可能な弁ピストンまたは弁軸８２とを含む。弁本体７０のねじ付き外側端部７７は、シリンジ６７の雌ねじ付き首部６８に接続され、本体の他方のねじ付き端部７８は、筒３６と一体の雌ねじ付きで後方に傾いた入口７９内に取り付けられる。弁本体７０の中間部８０は、レンチを使用して弁を入口７９内に取り付けるのを容易にするため、断面が六角形である。弁本体７０は、Ｏリング８１によって入口７９内で封止される。
【００１８】
半球状の上端部８３を備えた円筒状の弁軸８２は、本体を通る通路８５内の先細状の弁座８４に接して位置するように、本体７５内で滑動可能である。軸８２は、軸の直径が狭い下端部にあるコイルばね８７によって閉止位置（図６）へと付勢される。ばね８７は、軸８２の肩部８８と、入口７９を通る通路９２内の肩部９１に位置する円形プレート８９との間で圧縮される。
【００１９】
シリンジプランジャが筒７２に押し込まれると、流体がシリンジから弁本体７０に流れ込んで、軸８２を弁座８４から離れる方向で開放位置（図７）へと押しやる。流体は、軸８２の対角線上にある穴９３（一方が図示される）を通って、閉じた上端部と開いた下端部とを備えた中央通路（図示なし）に流れ込む。流体は、軸を出て、入口通路９２を通って注射器筒３６の前端部にあるチャンバ８６に流れ込む。
【００２０】
プランジャ５３が前方に駆動されると、流体は、弁９６、ノズルホルダ９７、および使い捨てのプラスチック製ノズル９８を介して筒３６から放出される。弁９６は、管状のノズルホルダ９７を通る通路１０１内へと延在する中空の弁軸１００と、管状の軸１００の内側端部を閉じる円筒状の頭部１０２とによって規定される。円形のステンレス鋼製スペーサワッシャー１０３は、弁頭部１０２とチャンバ６６の前端部にある肩部１０５（図４）との間に挟まれる。ノズルホルダ９７は、雌ねじ付きキャップ１０６によって、筒３６の雄ねじ付き前端部１０４内で保持される。
【００２１】
図８〜１０を参照すると、ホルダ９７は、管状本体１１０と、そこを通る中央の長手方向に延在する通路１０１とを含む。ホルダ９７を筒３６に滑り込ませると、本体１１０の中央近傍にある環状フランジ１１１が筒３６の端部に当接して、筒内へのホルダの移動を制限する。筒３６の放出端部にある指部１１２は、フランジ１１１の切欠き１１３と噛合して、ホルダが筒内で回転するのを防ぐ。Ｏリング１１４は、ホルダ９７を筒３６内で封止する。弁９６を通過する流体は、対角線上にある穴１１５を介してホルダ９７内の通路１０１に入り、本体１１０の放出端部で、円筒状ノズル１１９の先細状の外側端部１１８（図８）にある小さなオリフィス１１６を通して放出される。ねじ山１２０はノズル１１９の外側端部付近に設けられる。円筒状スリーブ１２２は、ノズル１１９の内側端部の周りで外向きに延在する。対角線上にある切欠き１２３は、スリーブ１２２の外側自由端部に設けられる。各切欠き１２３は、１つの事実上半径方向に延在する直線状の面１２４と、ナイフエッジ１２５を規定する１つの斜角が付けられた面とを含む。
【００２２】
使い捨てノズル９８は、円筒状の後端部１２８を備えた細長い管状本体１２７によって規定される。本体１２７は、円筒状の後端部１２８から小径の射出端部１２９まで前方へと先細状になっている。本体１２７の３つの深い凹溝１３０が長手方向に延在する隆起１３２と交互になっていることによって、ノズル９８を手動で操作するのが容易になっている。
【００２３】
本体１２７の後端部１２８にある環状の陥凹部１３３（図９）は、ホルダ９７のスリーブ１２２を受け入れる。移動止めまたは指部１３５は、陥凹部１３３の内壁１３６から鋭角で外向きに延在する。壁１３６の長手方向に延在する溝１３７によって、移動止め１３５が屈曲することができる。ノズル９８が（図１３および１４の時計方向にノズルを回転させることによって）ホルダ９７上にねじ留めされていくと、移動止め１３５は切欠き１２３のうち１つに入る。ノズル９８を半回転させるごとに、移動止め１３５は切欠き１２３の縁部１２４を係合し、屈曲して溝１３７に入る。図１４および１５に最も良く示されるように、ノズル９８が完全にホルダ９７上にあるとき、移動止め１３５は切欠き１２３のうち１つの中に延在する。ノズル９８は、Ｏリング１３８によってホルダ９７上で封止される（図８および９）。
【００２４】
ホルダ９７から射出された流体は、先細状の通路１４０を通過し、狭い射出オリフィス１４１を通して放出される。ノズル本体１２７の放出端部の交互に半径方向に延在する隆起および溝１４２は、注射部位の周囲の領域を把持する。１回の注射が完了すると、ノズル９８を親指と人差し指との間で把持し、反時計方向に急回転させる。切欠き１２３のうち１つの中に延在する移動止め１３５が、ナイフエッジ１２５を係合する。ノズル９８を同じ方向で回転させ続けることによって、移動止め１３５がその薄い端部で、即ちノズル本体１２７の残りの部分に付着された端部で壊れる。移動止め１３５は切欠き１２３内に残り、ノズル９８が取り外されると、移動止めは切欠きから落ちる。したがって、移動止め１３５は、ノズルが使用されていないことを音で示す。ノズルをホルダ９７上に取り付ける間、移動止め１３５が屈曲して溝１３７に入るごとにクリック音が生じて、移動止めがノズル上にあることを示す。移動止め１３５がなければ、ホルダ９７上でのノズル９５の回転に対する抵抗がなくなり、移動止め１３５が壊れていないことを示す音がなくなる。
【００２５】
再び図２を参照すると、注射は、トリガー３１が圧搾されると、圧縮ガス源（図示なし）からの圧縮ガスを使用して達成される。ガスは、ホース１４５と、雄ねじ付き端部１４７がシリンダ４の雌ねじ付き後端部１４８にねじ込まれたコネクタ１４６とを介して、下側シリンダ４に供給される。トリガー３１の圧搾によって、全体が１５０および１５１でそれぞれ示される前方弁および後方弁が開く。前方弁１５０は、下側シリンダ４のスリーブ１５３内で滑動可能な軸１５２を含む。軸１５２は、Ｏリング１５４によってスリーブ１５３内で封止される。軸１５２の半球状の外側端部１５６は、スリーブ１５３の外に延在してトリガー３１と噛合する。軸１５２の円錐状の内側端部１５７は、後方弁１５１の軸１５８の前端部に当接する。軸１５２は、軸１５２の環状フランジ１６１と後方弁軸１５８の前端部との間に挟まれたコイルばね１６０によって前方に付勢される。トリガー３１が圧搾されると軸１５２が後方に移動し、それによって、対角線方向に延在する通路１６２が、下側シリンダ４を通ってピストン６の前端部とスリーブ２５の後端部との間の空間１６５に至る通路１６３と一直線に並び、それによってピストン６の前方にある空気を、弁１５０と注射器のハンドル２内にある通路１６７とを通して放出することができる。
【００２６】
同時に、軸１５２は後方弁１５１の軸１５８を押す。軸１５８の前端部は、Ｏリング１６８によってスリーブ１５３の後端部内で、かつＯリング１６９によって下側シリンダ４内で封止される。軸１５８の後端部は、Ｏリング１７１によってシリンダ４の後端部内で封止される。軸１５８は、軸の後端部にある環状フランジ１７３と圧縮空気ホース１４５の出口端部にあるコネクタ１４６のねじ付き出口端部１４７との間に挟まれたコイルばね１７２によって、図２に示される閉止位置へと前方に付勢される。軸１５８が後方に移動してばね１７２を圧縮すると、後方弁１５１が開いて、空気がフランジ１７３の周りを、かつ弁１５１および通路１７５を通って、ピストン６後方のチャンバ１７６に流れ込むことができる。チャンバ１７６内に十分な圧力が蓄積されていると、ピストン６が前方に駆動され、その時にピストンの前方にあるチャンバ１６５から通路１６０、１６２、および１６７を介して空気が放出され、プランジャ５３が前方に移動して、弁９６、ホルダ９７、および使い捨てノズル９８を通してチャンバ６６から流体を放出する。注射が完了すると、ノズル９８は取り外され、新しいノズルと交換される。
【００２７】
トリガー３１が解放されると、ばね１６０および１７２は弁軸１５２および１５８を休止位置または閉止位置に戻す。ピストン６後方の空気は通路１７５を介して放出され、後方弁軸１５８の周囲を通過して、ハンドル２内の第２の通路１７８を通して通気される。
【００２８】
極低投与量を注射する場合、筒３６は、より小さな筒と、即ち小さな穴３９を有する内径がより小さい筒と交換される。穴３９によって、プランジャ５３のフランジ６１の前方にある筒３６から空気を脱気することができる。穴３９がない場合、注射中の背圧によって、小さな筒を使用した場合の投与量を正確に制御できなくなる。上述したように、筒３６は、ねじ付き後端部３５がスリーブ２５から係脱するようにして筒を回転させることによって、本体１の上側シリンダ３から取り外される。筒３６が取り外されていれば、スロット５６があることによって自由に拡張できるカプラー４２の前端部から、プランジャ５３を引き抜くことができる。プランジャ５３は、より小さな筒の内径と一致するより小さな直径を有するプランジャと交換される。当然ながら、小径の筒がより大径の筒と交換されている場合、プランジャ５３はより大径のプランジャと交換される。
【図１】
0005933453.tif 000002
【図２】
0005933453.tif 000003
【図３】
0005933453.tif 000004
【図４】
0005933453.tif 000005
【図５】
0005933453.tif 000006
【図６】
0005933453.tif 000007
【図７】
0005933453.tif 000008
【図８】
0005933453.tif 000009
【図９】
0005933453.tif 000010
【図１０】
0005933453.tif 000011
【図１１】
0005933453.tif 000012
【図１２】
0005933453.tif 000013
【図１３】
0005933453.tif 000014
【図１４】
0005933453.tif 000015
【図１５】
0005933453.tif 000016